(57)【要約】【課題】手摺り子の振動を抑制し得る手摺りユニットを提供すること【解決手段】手摺りユニット（１０）は、互いに間隔をおいて配置された一対の支柱（１６）及び両支柱にそれぞれ固定された一対の桟（１８）からなるフレーム（１２）と、フレーム内に互いに間隔をおいて配置された複数の手摺り子（１４）とを備える。各手摺り子（１４）は、フレームが規定する面に直交する面であって各手摺り子の軸線を含む面（２０）に対して非対称である横断面形状を有し、あるいは円形以外の同一の横断面形状を有する複数の手摺り子が互いに隣接する両手摺り子の中間位置にある面（２１）に対して非対称に配置される。【選択図】図２
2006200211.tif 000002
【特許請求の範囲】
【請求項１】
互いに間隔をおいて配置され縦方向へ伸びる一対の支柱及び両支柱にそれぞれ固定され横方向へ伸びる一対の桟からなるフレームと、
前記フレーム内に互いに間隔をおいて配置されかつ両桟に固定された縦方向へ伸びる複数の手摺り子とを含み、
各手摺り子は、前記フレームが規定する面に直交する面であって各手摺り子の軸線を含む面に対して非対称である横断面形状を有する、手摺りユニット。
【請求項２】
互いに間隔をおいて配置され縦方向へ伸びる一対の支柱及び両支柱にそれぞれ固定され横方向へ伸びる一対の桟からなるフレームと、
前記フレーム内に互いに間隔をおいて配置されかつ両桟に固定された縦方向へ伸びる複数の手摺り子とを含み、
前記手摺り子は円形以外の同一の横断面形状を有し、また前記フレームが規定する面に直交する面であって互いに隣接する両手摺り子の中間を縦方向へ伸びる面に対して相互に非対称に配置されている、手摺りユニット。
【発明の詳細な説明】
【技術分野】
【０００１】
本発明は、例えば集合住宅のベランダに設置される手摺りユニットに関する。
【背景技術】
【０００２】
手摺りユニットは、互いに間隔をおいて配置され縦方向へ伸びる一対の支柱及び両支柱にそれぞれ固定され横方向へ伸びる上下一対の桟からなるフレームと、前記フレーム内に互いに間隔をおいて配置され縦方向へ伸びる複数の手摺り子とを含む（後記特許文献１参照）。
【０００３】
ところで、前記手摺り子は一般に矩形の横断面形状を有し、その一面が、前記フレームが規定する面と平行であるように配置されている。すなわち、前記手摺り子は、前記フレームが規定する面に直交する面であって前記支柱の軸線と平行な線を含む面に対して対称な横断面形状を有し、対称に配置され、また対称な肉厚を有する。
【０００４】
しかし、前記面に対してこのような対称な形状又は肉厚を有し、あるいは対称に配置された手摺り子は、該手摺り子を含む手摺りユニットが例えばベランダに設置され、風を受けるとき、その後方にカルマン渦が発生しやすい。前記カルマン渦の発生周波数が前記手摺り子の固有振動数と一致すると、前記手摺り子が自励振動をし、これに伴う音（振動音）が発生する。
【特許文献１】実開昭５６−１７６９３３号公報
【発明の開示】
【発明が解決しようとする課題】
【０００５】
本発明は、手摺り子の振動を抑制し得る手摺りユニットを提供することにある。
【課題を解決するための手段】
【０００６】
本発明は手摺りユニットに係り、互いに間隔をおいて配置され縦方向へ伸びる一対の支柱及び両支柱にそれぞれ固定され横方向へ伸びる一対の桟からなるフレームと、前記フレーム内に互いに間隔をおいて配置されかつ両桟に固定された縦方向へ伸びる複数の手摺り子とを含む。
【０００７】
本発明にあっては、各手摺り子が、前記フレームが規定する面に直交する面であって各手摺り子の軸線を含む面に対して非対称である横断面形状を有し、あるいは円形以外の同一の横断面形状を有する前記手摺り子が、前記フレームが規定する面に直交する面であって互いに隣接する両手摺り子の中間を縦方向へ伸びる面に対して相互に非対称に配置される。
【発明の効果】
【０００８】
本発明によれば、各手摺り子の軸線を含む前記面に対して、各手摺り子の横断面形状又は肉厚を非対称であるようにし、あるいは隣接する両手摺り子間の面に対して前記手摺り子を非対称に配置した結果、手摺りユニットがその前方から風を受けるときのその手摺り子の後方におけるカルマン渦の発生とこれに伴う前記手摺り子の自励振動とを抑制することができ、これにより前記振動音の発生を抑えることができる。これは、また、前記自励振動に伴う前記集合住宅における固体音の発生をも抑制する。
【発明を実施するための最良の形態】
【０００９】
図１を参照すると、本発明に係る手摺りユニットが全体に符号１０で示されている。手摺りユニット１０は、集合住宅のベランダの手摺り、見晴台の柵等として設置され、利用される。
【００１０】
手摺りユニット１０は、全体に矩形状を呈するフレーム１２と、フレーム１２内（より詳細には後記両支柱１６間）に互いに等しい間隔をおいて配置され縦方向（上下方向）へ伸びる複数の中空の手摺り子１４とを備える。フレーム１２と手摺り子１４とは、例えばアルミニウムのような金属材料で形成される。
【００１１】
フレーム１２は、互いに間隔をおいて配置され縦方向へ伸びる一対の支柱１６と、両支柱１６にそれぞれ固定され横方向（水平方向）へ伸びる一対の桟（上桟及び下桟）１８とからなる。前記手摺り子は、これらの上下両端部において、ビスのような固定手段により上下両桟１８にそれぞれ固定されている。上桟１８には、通常、美感や耐候性を考慮して、これを覆う笠木（図示せず）が取り付けられる。
【００１２】
本発明にあっては、図２〜図４に示すように、各手摺り子１４が面２０に対して非対称の横断面形状を有する。面２０は、フレーム１２が規定する面、より詳細にはフレーム１２の矩形の開口面に直角に交わる面であって、各手摺り子１４軸線を含む面である。面２０は、したがって、図１で見て、紙面に垂直であって前記縦方向へ伸びかつ両桟１８を横切る。
【００１３】
図２に示す手摺り子１４の例にあっては、その横断面で見て、矩形における一方の対角線に関して互いに相対する両コーナ部２２がそれぞれ直角な角からなり、他の一方に関して相対する両コーナ部２４がそれぞれ円弧からなる。この例では、図上、面２０の左右のコーナ部２２，２４がそれぞれ前記角及び前記円弧からなり、面２０に関して又は面２０に対して非対称である。
【００１４】
次に、図３に示す手摺り子１４の例にあっては、その横断面で見て、図２に示す例における前記円弧の代わりに斜線からなるコーナ部２６とされている点において異なる。この例では、図上、面２０の左右のコーナ部２２，２６がそれぞれ前記角及び前記斜線からなり、面２０に対して非対称である。
【００１５】
また、図４に示す手摺り子の例は、その横断面で見て、二対のコーナ部をそれぞれ図２の例における前記円弧（２４）及び図３の例における前記斜線（２６）とした点において、前記した例と相違する。この例では、図上、面２０の左右のコーナ部２４，２６がそれぞれ前記円弧及び前記斜線からなり、面２０に対して非対称である。
【００１６】
なお、面２０に関して非対称である限り、図示の例以外の横断面形状を採用することは任意である。また、図示の手摺り子１４は中空であるが、中実のものであってもよい。
【００１７】
最後に、図５を参照すると、矩形の横断面形状を有する複数の手摺り子１４が、桟１８の長手方向に互いに等間隔をおいてかつ整列して配置されている。
【００１８】
この例では、互いに隣接する両手摺り子１４が面２１に対して非対称である。この面２１は、フレーム１２が規定する面に直角に交わり、前記縦方向へ伸びる面である点で面２０と共通し、したがって、面２０，２１は相互に平行な関係にある。しかし、面２１は、互いに隣接する両手摺り子１４相互の中間位置（より詳細には両手摺り子の軸線間の中間位置）にある点で相違する。
【００１９】
図示の例では、各手摺り子１４の横断面形状である前記矩形の一方の辺（長辺）に沿って伸びる手摺り子の表面３４が面２１と平行でなくこれと交差するようにその軸線の周りに回転された状態に、すなわち面２１に対して非対称に配置されている。交差の角度は任意に定めることができる。
【００２０】
この例においては、手摺り子１４が円形以外の横断面形状を有するものが採用される。
【００２１】
各手摺り子１４の横断面形状（図２〜図４）又はその肉厚（図５）を面２０に対して非対称であるようにし、あるいは複数の手摺り子１４を面２１に対して非対称に配置することにより、手摺りユニット１０が例えばベランダに設置され、風が手摺り子１４間を抜けるように吹くとき、手摺り子１４の下流側へのカルマン渦の発生が抑制され、これにより手摺り子１４の振動が抑制される。
【図面の簡単な説明】
【００２２】
【図１】本発明に係る手摺りユニットの概略図である。
【図２】手摺り子の一の例の横断面図である。
【図３】手摺り子の他の例の横断面図である。
【図４】手摺り子のさらに他の例の横断面図である。
【図５】複数の手摺り子の配置例を示す部分横断面図である。
【符号の説明】
【００２３】
１０  手摺りユニット
１２  フレーム
１４  手摺り子
１６  支柱
１８  桟
２０  面
【図１】
2006200211.tif 000003
【図２】
2006200211.tif 000004
【図３】
2006200211.tif 000005
【図４】
2006200211.tif 000006
【図５】
2006200211.tif 000007